(57)【特許請求の範囲】
【請求項１】
鋸刃部と把持部とを少なくとも備えた鋸本体と、該鋸本体を進退自在に保持すると共に枝引っ掛け用のフック部を備えた鞘本体とを有し、前記鞘本体を操作してフック部を枝に引っ掛け、該引っ掛けた枝を前記鋸本体の鋸刃部に向けて付勢しながら、前記鋸本体の鋸刃部を進退させて切断するようにした枝切用鋸であって、
前記鞘本体のフック部は、鞘本体の先端部に枢支されると共に鞘本体の長手方向領域に定常位置を持つようにバネ付勢して構成し、且つ前記バネ付勢に抗してそれ以上の負荷が加わると前記フック部の定常位置から回動変位されるように構成し、
前記鋸本体の鋸刃部は、その先端が前記フック部よりも後退した位置に定常位置を持つようにバネ付勢して構成し、且つ該バネ付勢に抗して前記鋸本体の把持部を操作することで前記鋸刃部が鋸刃部の定常位置から進出されるように構成したことを特徴とする枝切用鋸。
【請求項２】
フック部は、鋸本体の鋸刃部の歯先線の位置が定常位置にあるフック部の枝最大受入線よりも枝切断方向に越えた位置となるように構成したことを特徴とする請求項１に記載の枝切用鋸。
【請求項３】
フック部は、フック部の定常位置から後退方向に後退回動されることで、鋸本体の鋸刃部の歯先線との間に隙間を生じるように構成したことを特徴とする請求項１又は２に記載の枝切用鋸。
【請求項４】
鋸刃部は、歯列に続く先端領域を歯列のないガイド縁に構成すると共に該ガイド縁が先端に向けて歯先線の位置から傾斜後退するように構成したことを特徴とする請求項１〜３の何れかに記載の枝切用鋸。
【請求項５】
フック部がフック部の定常位置を越えてバネ付勢方向に進出回動するのを停止させる進出回動停止手段を構成したことを特徴とする請求項１〜４の何れかに記載の枝切用鋸。
【請求項６】
フック部は、鋸刃部の進退方向と平行な背部を折り曲げ部としたコ字形状に構成すると共に前記背部に対向する腹部に向けて開口する枝受入凹所を構成し、且つ前記コ字形状による隙間を鋸刃部の進退通路として構成し、且つ前記背部に対向する鋸刃部の歯先線の位置が前記枝受入凹所の底よりも深い位置となるように構成したことを特徴とする請求項１〜５の何れかに記載の枝切用鋸。
【請求項７】
鋸本体は把持部にロッド部を介して鋸刃部を取り付けた構成とすると共に、鞘本体と把持部との間のロッド部に付勢バネを巻き付け配置することで、鋸刃部を該鋸刃部の定常位置にバネ付勢した構成としてあることを特徴とする請求項１〜６の何れかに記載の枝切用鋸。
【請求項８】
鞘本体は筒状に構成すると共にその先端部にフック部を枢支するための背金を被着してあることを特徴とする請求項１〜７の何れかに記載の枝切用鋸。
【請求項９】
鋸刃部に設けられる歯は二等辺三角形状としてあることを特徴とする請求項１〜８の何れかに記載の枝切用鋸。
【発明の詳細な説明】
【技術分野】
【０００１】
本発明は木の枝を切るのに適した枝切用鋸に関する。
【背景技術】
【０００２】
従来、木の枝を切って整枝する手段として鋏や鋸がある。鋏は小枝に適し、鋏で切れない太い枝は鋸で切るというのが一般的である。例えば果樹園等においては、不要な枝を手鋏や鋸で１本１本丁寧に切って整枝している。
鋏を用いて枝を切る場合は、枝が少し太くなると切りづらくなる問題がある。また手の届く範囲が狭く、枝が少し高くなると届かなくなる問題もある。そして刃先の場合は手の握力を用いることになるので、手が疲れ易く多量の枝切りには向かないし、女性等の握力の弱い者には向かない。
一方、鋸を用いて技を切る場合は、鋏の場合よりは枝に届く範囲が広く高くなり、握力等の疲れも少なくなる。が、枝の揺れを止めて切断するのが難しく、細い枝の切断に向かない欠点がある。また枝が密集している所においては、露出した鋸歯が別の枝に引っ掛かり易く目的の枝だけをうまく切ることができない問題や、目的以外の枝を傷つけてしまう問題もある。
【先行技術文献】
【特許文献】
【０００３】
【特許文献１】特開２０００−２３６７４７号公報
【発明の概要】
【発明が解決しようとする課題】
【０００４】
上記特許文献１の発明では、鋸刃（２）を支持筒（８）に貫通させて取り付け、またバネ付勢されたフック（１６）を取り付けた構成が開示されている。フック（１６）を用いることで、目的の枝（３１）に引っ掛けて鋸刃（２）に押し付けながら切断することができる。
しかしながら、この特許文献１の発明の場合、フック（１６）に加わるバネ付勢は、フック（１６）が鋸刃（２）から後退する方向に加えられる構成となされている。このため、腕力で枝（３１）を鋸刃（２）へ押し続けない限り、枝（３１）が鋸刃（２）から後退して離れてしまい、切断作業をうまく続けることができなくなるという問題がある。
また鋸刃（２）は、フック（１６）を枝（３１）に掛ける操作中も、支持筒（８）から前方に露出状態に保持される構成となされている。このため、フック（１６）を枝（３１）に引っ掛ける際、露出した鋸刃（２）が邪魔となる。特に枝が密生する所では、鋸刃（２）が邪魔となって、目的の枝（３１）にうまくフック（１６）を引っ掛けることが難しくなる等、整技作業ができない、或いは捗らない問題がある。
またフック（１６）は、支持筒（８）の延長方向から外れた方向に枝分かれして設けられている。このため支持筒（８）とフック（１６）による支持筒（８）先端付近の嵩が高くなり、枝が密生している場合には、その密生する枝間にフック（１６）や支持筒（８）を差し入れて目的の枝（３１）にフック（１６）を掛けるのが難しくなる。【０００５】
そこで本発明は上記従来技術の問題点を解消し、揺れ易くて固定のし難い細い枝から鋏では難しい比較的太い枝まで、また鋏では届き難い範囲にある枝まで、更に密集した所にある枝を確実、スムーズに、且つ簡単な操作で、疲れることなく切断することができる枝切用鋸の提供を課題とする。
【課題を解決するための手段】
【０００６】
上記課題を達成するため本発明の枝切用鋸は、鋸刃部と把持部とを少なくとも備えた鋸本体と、該鋸本体を進退自在に保持すると共に枝引っ掛け用のフック部を備えた鞘本体とを有し、前記鞘本体を操作してフック部を枝に引っ掛け、該引っ掛けた枝を前記鋸本体の鋸刃部に向けて付勢しながら、前記鋸本体の鋸刃部を進退させて切断するようにした枝切用鋸であって、
前記鞘本体のフック部は、鞘本体の先端部に枢支されると共に鞘本体の長手方向領域に定常位置を持つようにバネ付勢して構成し、且つ前記バネ付勢に抗してそれ以上の負荷が加わると前記フック部の定常位置から回動変位されるように構成し、
前記鋸本体の鋸刃部は、その先端が前記フック部よりも後退した位置に定常位置を持つようにバネ付勢して構成し、且つ該バネ付勢に抗して前記鋸本体の把持部を操作することで前記鋸刃部が鋸刃部の定常位置から進出されるように構成したことを第１の特徴としている。
また本発明の枝切用鋸は、上記第１の特徴に加えて、フック部は、鋸本体の鋸刃部の歯先線の位置が定常位置にあるフック部の枝最大受入線よりも枝切断方向に越えた位置となるように構成したことを第２の特徴としている。
また本発明の枝切用鋸は、上記第１又は第２の特徴に加えて、フック部は、フック部の定常位置から後退方向に後退回動されることで、鋸本体の鋸刃部の歯先線との間に隙間を生じるように構成したことを第３の特徴としている。
また本発明の枝切用鋸は、上記第１〜第３の何れかの特徴に加えて、鋸刃部は、歯列に続く先端領域を歯列のないガイド縁に構成すると共に該ガイド縁が先端に向けて歯先線の位置から傾斜後退するように構成したことを第４の特徴としている。
また本発明の枝切用鋸は、上記第１〜第４の何れかの特徴に加えて、フック部がフック部の定常位置を越えてバネ付勢方向に進出回動するのを停止させる進出回動停止手段を構成したことを第５の特徴としている。
また本発明の枝切用鋸は、上記第１〜第５の何れかの特徴に加えて、フック部は、鋸刃部の進退方向と平行な背部を折り曲げ部としたコ字形状に構成すると共に前記背部に対向する腹部に向けて開口する枝受入凹所を構成し、且つ前記コ字形状による隙間を鋸刃部の進退通路として構成し、且つ前記背部に対向する鋸刃部の歯先線の位置が前記枝受入凹所の底よりも深い位置となるように構成したことを第６の特徴としている。
また本発明の枝切用鋸は、上記第１〜第６の何れかの特徴に加えて、鋸本体は把持部にロッド部を介して鋸刃部を取り付けた構成とすると共に、鞘本体と把持部との間のロッド部に付勢バネを巻き付け配置することで、鋸刃部を該鋸刃部の定常位置にバネ付勢した構成としてあることを第７の特徴としている。
また本発明の枝切用鋸は、上記第１〜第７の何れかの特徴に加えて、鞘本体は筒状に構成すると共にその先端部にフック部を枢支するための背金を被着してあることを第８の特徴としている。
また本発明の枝切用鋸は、上記第１〜第８の何れかの特徴に加えて、鋸刃部に設けられる歯は二等辺三角形状としてあることを第９の特徴としている。
【発明の効果】
【０００７】
請求項１に記載の枝切用鋸によれば、鋸刃部と把持部とを少なくとも備えた鋸本体と、該鋸本体を進退自在に保持すると共に枝引っ掛け用のフック部を備えた鞘本体を有する。鞘本体を操作してフック部を枝に引っ掛け、該引っ掛けた枝を鋸本体の鋸刃部に向けて付勢しながら、鋸本体の鋸刃部を進退させることで、枝を切断することができる。
また請求項１に記載の枝切用鋸によれば、鞘本体のフック部は、鞘本体の先端部に枢支されると共にバネ付勢され、フック部の定常位置が鞘本体の長手方向領域となるように構成されている。従ってフック部は、負荷等が加わらない定常時においては、鞘本体の長手方向領域に配置された状態となり、鞘本体から側方に大きく食み出すことがない。よって枝が混みあったような場所であっても、他の枝に引っ掛かることなく、スムーズに目的の枝にフックを引っ掛けることができる。
また請求項１に記載の枝切用鋸によれば、鞘本体のフック部は、該フック部に加わるバネ付勢に抗してそれ以上の負荷が加わると定常位置から回動される。よってフック部が枝に引っ掛けられる際に、柔軟性よく枝を受け入れることができる。
また請求項１に記載の枝切用鋸によれば、鋸本体の鋸刃部は、その先端がフック部よりも後退した位置に定常位置を持つようにバネ付勢して構成されている。そして該バネ付勢に抗して鋸本体の把持部を操作することで、鋸刃部は鋸刃部の定常位置から進出されるように構成している。従って鞘本体の先端部に取り付けられたフック部を枝に引っ掛ける際においては、鋸刃部はその先端が未だフック部よりも後退した位置に待機した状態となっている。よってフック部を枝に引っ掛ける作業において、鋸刃部が邪魔になることが回避され、フック部によるスムーズな枝引っ掛け作業を行うことができる。【０００８】
請求項２に記載の枝切用鋸によれば、上記請求項１に記載の構成による作用効果に加えて、フック部は、それがフック部の定常位置にあるときにおいて、鋸刃部の歯先線の位置がフック部の枝最大受入線よりも枝切断方向に越えた位置となるように構成している。従って切断作業において、定常位置に復帰してくるフック部にある枝を、細い枝から太い枝まで、切り残し無く確実に切断することができる。【０００９】
請求項３に記載の枝切用鋸によれば、上記請求項１又２に記載の構成による作用効果に加えて、フック部は、フック部の定常位置から後退方向に後退回動されることで、鋸本体の鋸刃部の歯先線との間に隙間を生じるように構成されている。従って枝を引っ掛けたフック部をフック部の定常位置から後退方向に回動させることで、枝の位置を鋸刃の歯先線よりも更に後退した位置まで容易に移動させることができる。よって鋸刃部を鋸刃部の定常位置から容易に枝の切断開始側面へと進出させることができ、細い枝から太い枝まで確実に切断することができる。【００１０】
請求項４に記載の枝切用鋸によれば、上記請求項１〜３の何れかに記載の構成による作用効果に加えて、鋸刃部は、歯列に続く先端領域を歯列のないガイド縁に構成すると共に該ガイド縁が先端に向けて歯先線の位置から傾斜後退するように構成している。よってガイド縁により鋸刃部の歯列を容易に枝の切断開始側面へ導くことができる。即ち、ガイド縁の存在により、歯先線を越えるような太さの枝であっても、傾斜したガイド縁によって鋸刃部の歯列を枝の切断開始側面に向けてガイドすることができ、枝を切断することができる。【００１１】
請求項５に記載の枝切用鋸によれば、上記請求項１〜４の何れかに記載の構成による作用効果に加えて、フック部がその定常位置を越えてバネ付勢方向に進出回動するのを停止させる進出回動停止手段を構成している。即ち、進出回動停止手段によって、フック部がその定常位置から更にバネ付勢方向に進出するのを強制的に停止するように構成している。この進出回動停止手段の存在により、フック部に対するより強力なバネ付勢力を作用させることができると共に、定常位置まで進出回動したフック部をバネ付勢力に抗してその位置に留まらせることができる。よってフック部を枝に引っ掛ける作業においては、定常位置に安定して配置されたフック部でスリムに枝間を移動して目的の枝に引っ掛け作業が行える。加えて、フック部に引っ掛けられた枝を切断する作業においては、フック部が持つ十分なバネ付勢力により枝を強力に鋸刃部に押し付けることができ、切断作業が良好に行える。【００１２】
請求項６に記載の枝切用鋸によれば、上記請求項１〜５の何れかに記載の構成による作用効果に加えて、フック部は、鋸刃部の進退方向と平行な背部を折り曲げ部としたコ字形状に構成しているので、フック部を二重構造として強度を上げることができる。またコ字形状による隙間を鋸刃部の進退通路として構成しているので、フック部と鋸刃部とを相互に重なった状態に配置することができ、鞘本体の長手方向領域を嵩低くスリムにすることができる。また枝受入凹所をフック部の背部に対抗する腹部に向けて開口し、且つ鋸刃部の歯先線の位置が前記枝受入凹所の底よりも深い位置となるように構成しているので、枝をフック部の枝受入凹所の底まで十分に受け入れ、安定した状態で鋸刃部による切断を確実に行うことができる。【００１３】
請求項７に記載の枝切用鋸によれば、上記請求項１〜６の何れかに記載の構成による作用効果に加えて、鋸本体は把持部にロッド部を介して鋸刃部を取り付けた構成としている。従って鋸刃部を枝の切断に必要な長さに抑えることができる。また鞘本体と把持部との間のロッド部に付勢バネを巻き付けることで、付勢バネを確実に安定して配置することができ、巻き付けた付勢バネにより鋸本体の鋸刃部を確実に安定して鋸刃部の定常位置に配置させることができる。【００１４】
請求項８に記載の枝切用鋸によれば、上記請求項１〜７の何れかに記載の構成による作用効果に加えて、鞘本体は筒状に構成すると共にその先端部にフック部を枢支するための背金を被着してある。鞘本体の先端部に背金を被着することで、鞘本体の先端部の強度を上げ、負荷のかかるフック部を強固に取り付けることができる。【００１５】
請求項９に記載の枝切用鋸によれば、上記請求項１〜８の何れかに記載の構成による作用効果に加えて、鋸刃部に設けられる歯は二等辺三角形状としてあるので、枝を切断する際、枝に対する歯の切込み角度が、鋸刃部の進退何れの方向にも深くなりすぎないので、固定し難い細い枝の場合にも、歯が噛込んでしまうことが防止され、スムーズに切断することできる。
【図面の簡単な説明】
【００１６】
【図１】本発明の実施形態に係る枝切用鋸のフック部及び鋸刃部が何れも定常位置にある場合を示す全体図で、（Ａ）は正面図、（Ｂ）は左側面図である。
【図２】本発明の実施形態に係る枝切用鋸のフック部がフック部の定常位置にあり鋸刃部が最大進出位置にある場合を示す全体図で、（Ａ）は正面図、（Ｂ）は左側面図である。
【図３】本発明の実施形態に係る枝切用鋸の鋸本体を示す図で、（Ａ）は正面図、（Ｂ）は左側面図である。
【図４】本発明の実施形態に係る枝切用鋸の鞘本体を示す図で、（Ａ）は正面図、（Ｂ）は左側面図である。
【図５】本発明の実施形態に係る枝切用鋸の鞘本体の要部の拡大図で、（Ａ）は正面図、（Ｂ）は左側面図である。
【図６】本発明の実施形態に係る枝切用鋸の鞘本体のフック部を示す図で、（Ａ）は正面図、（Ｂ）は左側面図、（Ｃ）は底面図である。
【図７】本発明の実施形態に係る枝切用鋸の要部を示す正面図である。
【図８】本発明の実施形態に係る枝切用鋸による枝切断動作を説明する図で、（Ａ）、（Ｂ）、（Ｃ）、（Ｄ）、（Ｅ）はそれぞれ切断動作の途中の状態を示す図である。
【図９】本発明の実施形態に係る枝切用鋸を用いて細い枝を切断するときの動作を説明する図で、（Ａ）、（Ｂ）、（Ｃ）はそれぞれ切断動作の途中の状態を示す図である。
【図１０】本発明の実施形態に係る枝切用鋸を用いて太い枝を切断するときの動作を説明する図で、（Ａ）、（Ｂ）、（Ｃ）はそれぞれ切断動作の途中の状態を示す図である。
【図１１】本発明の実施形態に係る枝切用鋸の鞘本体のフック部の他の例を示す図で、（Ａ）は正面図、（Ｂ）は左側面図、（Ｃ）は底面図である。
【発明を実施するための形態】
【００１７】
以下の図面を参照して、本発明の実施形態に係る枝切用鋸を説明する。
先ず図１〜図４を参照して、枝切用鋸は、鋸本体１０と鞘本体２０とを備えている。
前記鋸本体１０は鋸刃部１１とロッド部１２と把持部１３とを備えている。ロッド部１２には付勢バネ１４が被着されている。
前記鞘本体２０は、前記鋸本体１０を進退自在に保持する鞘部２１を備えている。鞘部２１の先端部にはフック部２２を備えている。
【００１８】
鋸本体１０の鋸刃部１１は、枝Ｔを現に切断する部分で、歯１１ａが歯列として設けられている。
鋸本体１０のロッド部１２は、鋸刃部１１と把持部１２との間を接続する役目を果たすもので、例えば断面が楕円形、その他の断面形状をもつ中実棒、中空棒、その他、軽量で強度のある金属、プラスチック等で構成することができる。本実施形態では実際には楕円形状のアルミパイプで構成している。
ロッド部１２の先端部に鋸刃部１１が取り付けられる。鋸刃部１１は鞘部２１から前方に進出し、また後退することができる。ロッド部１２の先端は鞘部２１の内部に留まって鋸刃部１１を取り付ける。
鋸本体１０の把持部１３は、鋸本体１０を手操作するために把持する部分である。把持部１３は、鞘部２１から後方へ貫通したロッド部１２の後端部に取り付けられている。
鋸本体１０の付勢バネ１４は、圧縮コイルバネで構成されており、鞘部２１と把持部１３との間にあって、ロット部１２に被着されている。付勢バネ１４により、鋸本体１０は後退し、最後退位置において定常状態となる。この状態で、鋸刃部１１は、その先端がフック部２２の枝受入凹所２２ｃよりも少し後退した位置に配置され、定常位置、即ち鋸刃部定常位置Ｎｓをとる。
ところで、鋸本体１０の鋸刃部１１に設けられる歯１１ａは、鋸本体１０の把持部１３の握り形状との関係において、通常とは異なり、鋸刃部１１の背側に配置されていると言える。
鋸本体１０は全体として直線状に構成されている。
【００１９】
鞘本体２０の鞘部２１は、筒状として、前記鋸刃部１１とロッド部１２とを筒内に挿通させ、且つ進退自在に保持する。鞘部２１は楕円形状やその他の断面形状を持つアルミ等、軽量の金属筒で構成することができる。勿論、プラスチック材料によっても構成することができる。本実施形態では、実際にはアルミパイプで構成している。
鞘部２１の後端部には付勢バネ１４の前端を受け止めるための受止リング２１ａを篏合して固定している。即ち、前記付勢バネ１４は、鞘部２１後端部の受止リング２１ａと把持部１３との間のロッド部１２に巻回された状態で被着されており、圧縮コイルバネからなる付勢バネ１４の付勢力により、鋸本体１０を定常的に最後退位置まで押し下げた状態にしている。この鋸本体１０の最後退位置は、鋸刃部１１の鋸刃部定常位置Ｎｓでもある。
作業者は、一方の手で鞘本体２０の鞘部２１を把持し、他方の手で鋸本体１０の把持部１３を把持し、先ず鞘本体２０の先端部に取り付けられたフック部２２を目的の枝Ｔに引っ掛ける。そして引っ掛けた枝Ｔを鋸刃部１１に向けて付勢しながら、把持部１３を操作し、進出した鋸刃部１１の歯１１ａで枝Ｔを切断する。
【００２０】
図５を参照して、鞘部２１の先端部には背金２３を介してフック部２２を設けている。
前記背金２３は、主としてフック部２２を鞘本体２０の先端部に取り付けるための部材である。
背金２３はその後半部で鞘部２１の先端部に被着され且つ固定されている。より具体的には、背金２３はＵ字形状に折り曲げた金属性の曲げ板で構成し、Ｕ字形状とした背金２３を鞘部２１の先端部に嵌め合わせて被着し、Ｕ字形状の背金２３の一対の開放縁を鞘部２１の側部でネジ２３ａ締めして固定している。
背金２３の前半部は鞘部２１の先端部から前方へ突出した状態に構成されている。
鞘部２１から突出した背金２３の前半部には、フック部２２を枢支するための枢軸２３ｂを構成している。
また背金２３の前半部には、フック部２２が後述するフック部定常位置Ｆｓを越えて進出回動するのを停止させる進出回動停止手段として、進出回動停止ピン２３ｃを構成している。
また背金２３の前半部には、フック部２２が一定以上後退回動するのを停止させる後退回動停止手段として、後退回動停止受部２３ｄを構成している。
【００２１】
図６も参照して、前記鞘本体２０の先端部に取り付けられるフック部２２は、その後部で背金２３の前記枢軸２３ｂに枢支し、前部が背金２３の先端部から前方に突出した状態に取り付けられている。
前記枢軸２３ｂには付勢バネ２２ａが取り付けられる。付勢バネ２２ａは、捩じれコイルバネとし、これを枢軸２３ｂに巻回状態に取り付け、且つ付勢バネ２２ａの一端をフック部２２に係止し、他端を背金２３に係止する構成としている。付勢バネ２２ａは一対とし、中央部でスプリットされた枢軸２３ｂ、２３ｂのそれぞれに取り付けられている。枢軸２３ｂが中央部でスプリットされるのは、その間に鋸刃部１１を通すためである。
前記付勢バネ２２ａの構成によって、フック部２２は常に進出方向への回動が付勢された状態に構成とされる。
フック部２２は、前記背金２３に設けられた進出回動停止ピン２３ｃによって、それ以上に進出方向に回動するのを停止するように構成されている。即ちフック部２２が進出方向に回動し、フック部２２に設けられた係合凹所２２ｂが背金２３の進出回動停止ピン２３ｃに係合すると、その位置で、フック部２２の進出回動は停止される。進出回動停止ピン２３ｃと係合凹所２２ｂとはフック部２２の進出回動停止手段を構成する。
【００２２】
図７も参照して、本実施形態では、前記進出回動停止ピン２３ｃによってフック部２２の進出回動が停止された状態において、フック部２２が定常位置をとるよう、即ちフック部定常位置Ｆｓをとるように構成している。そしてフック部定常位置Ｆｓは、鞘本体２０の長手方向領域Ｒｆに位置するように構成している。即ち、フック部２２は、フック部定常位置Ｆｓにおいて、鞘本体２０の長手方向領域Ｒｆにほぼ真直ぐに延出した姿勢となる。このため、フック部２２は、フック部定常位置Ｆｓにおいて、鞘本体２０の長手方向領域Ｒｆから側方へ食み出ることなく、少なくとも大きく食み出ることなく保持される。よって枝Ｔが密集したような場所であっても、フック部２２や鞘本体２０を枝Ｔの間にスムーズに通して操作することができる。このため、フック部２２を、他の枝Ｔに引っ掛かることなく、目的の枝Ｔにスムーズに引っ掛けることができる。
【００２３】
前記付勢バネ２２ａは、フック部２２がフック部定常位置Ｆｓにあるときにおいても、フック部２２を更に進出方向にバネ付勢しているが、そのバネ付勢力は進出回動停止ピン２３ｃによって阻止されている。よってフック部２２はフック部定常位置Ｆｓから更に進出方向に回動することはできず、フック部定常位置Ｆｓにバネ付勢状態のまま安定する。
一方、フック部定常位置Ｆｓにあるフック部２２に対し、バネ付勢力を上回る外部負荷が後退方向に加わる場合には、付勢バネ２２ａの付勢力に抗してフック部２２が後退回動される。そしてフック部２２がフック部定常位置Ｆｓから後退することで、鋸刃部１１の歯先線Ｌｔと枝Ｔの間に隙間Ｓが生じるように構成されている。
前記フック部２２に対して後退方向に負荷が加わる場合の典型は、フック部２２に枝Ｔが引っ掛かり、その枝がフック部２２を押して後退させる場合である。
フック部２２をフック部定常位置Ｆｓから後退させて、歯先線Ｌｔと枝Ｔの間に隙間Ｓを生じせしめることで、より太い枝Ｔに対しても切断作業を行うことが可能となる。
またフック部定常位置Ｆｓからフック部２２が後退すると、その後退した分だけ前記付勢バネ２２ａによるフック部定常位置Ｆｓ方向への付勢力が強くなる。よって後退したフック部２２にある枝Ｔは、より強い付勢力で鋸刃部１１向けて付勢されることになる。即ち、鋸刃部１１による切断が容易、確実となる。
なお、フック部２２の後退回動は後退回動停止受部２３ｄで停止されるフック部最大後退位置Ｆｂまでの範囲で生じる。
【００２４】
フック部２２は、鋸刃部１１の進退方向と平行な背部２２ｅを折り曲げ部としたコ字形状に構成している。そして、このコ字形状による隙間を鋸刃部１１の進退通路としている。
またフック部２２には、その背部２２ｅに対向する腹部に向けて開口する枝受入凹所２２ｃを構成している。
そして鋸刃部１１の歯１１ａの歯先線Ｌｔの位置が前記枝受入凹所２２ｃの底よりも深い位置となるように構成している。即ち、より一般的に言うと、鋸刃部１１の歯先線Ｌｔが、枝を受け入れるフック部２２の枝最大受入線Ｌｂよりも、枝切断方向に越えた位置になるように構成している。
前記枝受入凹所２２ｃは、その形状を小さな凹凸のある凹所として構成し、太い枝Ｔはもとより、細い枝Ｔに対しても確実に捕らえて、且つ彼是と動かないように保持できるようにしている。
フック部２２の前記枝受入凹所２２ｃが開口する腹側の先端部には、長手方向領域Ｒｆから若干側方に出っ張るようにした引掛ヘッド２２ｄを構成して、枝Ｔを引っ掛け易くしている。
フック部２２をコ字形状に構成することで、二重構造による強度向上を図ることができる。そしてコ字形状による２片の隙間を鋸刃部１１の進退通路として構成しているので、フック部２２と鋸刃部１１とを相互に重なった状態に配置することができる。よって鞘本体１０の長手方向領域Ｒｆを嵩低く、スリムにすることができる。また鋸刃部１１の歯１１ａの歯先線Ｌｔの位置が枝受入凹所２２ｃの底よりも深い位置となるように構成しているので、枝Ｔを枝受入凹所２２ｃの底まで十分に受け入れて安定させた状態で切断作業をしても、枝Ｔを最後まで確実に切断することができる。
【００２５】
前記鋸刃部１１は、歯１１ａの列に続く先端領域を歯列のないガイド縁１１ｂに構成すると共に、該ガイド縁１１ｂが先端に向けて歯先線Ｌｔの位置から徐々に傾斜後退するように構成している。即ち、歯１１ａの無いガイド縁１１ｂが先端に向けて緩やかに後退するので、その分だけガイド縁１１ｂの先端部が枝Ｔの切断開始側面に到達し易くなる。そして枝Ｔの切断開始側面に到達したガイド縁１１ｂは、前進しながら枝Ｔを徐々に後退させ、歯１１ｂの列に導くことができる。即ち、ガイド縁１１ｂの存在により、鋸刃部１１を枝Ｔの切断開始側面に導き易くすることができ、スムーズな切断を行うことができる。また太目の枝Ｔであっても、ガイド縁１１ｂによって鋸刃部１１の歯１１ａの列を枝Ｔの切断開始側面に向けてスムーズにガイドすることができる。
なお、鋸刃部１１の歯１１ａは、枝切用鋸として、細い枝Ｔにも対応できるように、寸法の比較的小さいものを用いることができる。また枝Ｔに対する歯１１ａの切込み角度が、鋸刃部１１の進出方向及び後退方向の何れの方向にも比較的小さいもの、例えば二等辺三角形の歯１１ａを用いることができる。このように歯１１ａを構成することで、枝Ｔを切断する際、固定し難い細い枝の場合にも、歯が噛み込んでしまうことなく、スムーズに押切り、また引切ることできる。
【００２６】
鋸本体１０の鋸刃部１１は、その先端がフック部２２よりも後退した位置に鋸刃部１１の定常位置、即ち鋸刃部定常位置Ｎｓを持つようにバネ付勢して構成している。本実施形態においては、より具体的に、鋸刃部１１の先端がフック部２２の枝受入凹所２２ｃよりも後退した位置に鋸刃部定常位置Ｎｓを持つように構成している。このようにすることで、フック部２２を枝Ｔに引っ掛ける作業を行うときに、鋸刃部１１が鞘本体２０から露出して作業の邪魔になるのを防止することができる。
鋸刃部定常位置Ｎｓは鋸刃部１１の先端がフック部２２から少しだけ後退して隠れた位置となるようにするのが、切断作用の際に速やかに鋸刃部１１を進出させることができるので好ましい。
前記鋸刃部１１を鋸刃部定常位置Ｎｓにバネ付勢するのは付勢バネ１４である。
付勢バネ１４は、上述した圧縮コイルバネとして、鋸本体１０を定常的に最後退位置まで押し下げた状態に付勢している。そして鋸本体１０の最後退位置が鋸刃部１１にとっての鋸刃部定常位置Ｎｓとなるようにしている。この鋸刃部定常位置Ｎｓでは、鋸刃部１１の先端がフック部２２の枝受入凹所２２ｃよりも少し後退した位置に配置される。
鋸本体１０の把持部１３を持って、最後退位置から前進させると、鋸刃部１１の先端が鋸刃部定常位置Ｎｓから前方へ進出して露出する。
【００２７】
図８も参照して、本発明の実施形態に係る枝切用鋸の作用動作を説明する。作業者は、一方の手で鋸本体１０の把持部１３を持ち、他方の手で鞘本体２０の鞘部２１を持ち、目的の枝Ｔにフック部２２を引っ掛ける作業を開始する（Ａ）。このとき、フック部２２はフック部定常位置（Ｆｓ）にある。また鋸刃部１１は鋸刃部定常位置（Ｎｓ）にあり、鋸その先端がフック部２２の枝受入凹所２２ｃよりも少し後退して隠れている。従って、フック部２２をスリムな状態でスムーズに操作して引っ掛け作業ができる。その間、鋸刃部１１は退避した状態にあり、引っ掛け作業を邪魔することがない。
フック部２を枝Ｔに引っ掛け、更に少し押すと、枝Ｔの反発力によりフック部２２が付勢バネ２２の付勢力に抗して少し後退回動する（Ｂ）。すると鋸刃部１１の歯先線Ｌｔと枝Ｔとの間に隙間Ｓができる。
前記隙間Ｓができたところで、作業者が把持部１３を操作して鋸刃部１１を進出させると、先ず鋸刃部１１の先端部に設けられたガイド縁１１ｂが、バネ付勢されて前記後退位置から進出回動してきた枝Ｔの切断開始側面に当接する（Ｃ）。
そして、ガイド縁１１ｂは進出しながら枝Ｔをフック部２２と共に少し後退させ、鋸刃部の歯１１ａが枝Ｔの切断開始側面に到達するようガイドする（Ｄ）。
枝Ｔの切断開始側面に到達した歯１１ａの列は、１回の進出動作により、或いはそれ以上の進退動により、枝Ｔを切断する（Ｅ）。
枝Ｔの切断が進むにつれて、フック部２２の位置はフック部定常位置Ｆｓへとバネ復帰して行き、最後にフック部定常位置Ｆｓに復帰したところで、鋸刃部１１の歯先線Ｌｔの位置が、枝最大受入線Ｌｂである枝受入凹所２２ｃの底を切断方向に越え、枝Ｔの切断が完了する。
その後、鋸刃部１１も、手操作による負荷がなくなることで、元の鋸刃部定常位置Ｎｓに自動復帰する。
【００２８】
図９を参照して、細い枝Ｔを切断する場合の作用動作を説明する。
この場合は、フック部２２を細い枝Ｔに引っ掛ける際、枝Ｔからの反発力が弱いため、枝Ｔを引っ掛けたフック部２２は、殆ど後退することなくフック部定常位置Ｆｓに留まった状態となる（Ａ）。
そして把持部１３を持って鋸刃部１１を鋸刃部定常位置Ｎｓから進出させると、先ず鋸刃部１１の先端部にあるガイド縁１１ｂがフック部２２にある細い枝Ｔに達し、切断開始側面に接触する（Ｂ）。すると、ガイド縁１１ｂは、その傾斜に沿って細い枝Ｔをフック部２２と共に後退させながら、歯１１ａを細い枝Ｔの切断開始側面に導く。この状態においては、フック部２２は、フック部定常位置Ｆｓから少し後退した位置にあって付勢バネ２２ａによる付勢力が働いているので、細い枝Ｔは鋸刃部１１に押し付けられた状態となる。よって鋸刃部１１による切断作業がスムーズに進む。細い枝Ｔの場合は、鋸刃部１１の１回目の進出で押切状態に切断することが可能である。
切断の最終においては、フック部２２がフック部定常位置Ｆｓに復帰し、鋸刃部１１の歯先線Ｌｔが、枝最大受入線Ｌｂである枝受入凹所２２ｃの底を切断方向に越えた状態で切断が完了する（Ｃ）。
その後、鋸刃部１１も、手操作による負荷がなくなることで、元の鋸刃部定常位置Ｎｓに自動復帰する。
【００２９】
図１０を参照して、太い枝Ｔを切断する場合の作用動作を説明する。
この場合は、フック部定常状態Ｆｓにあるフック部２２を太い枝Ｔに引っ掛けると、太い枝Ｔの切断開始側面の位置が、鋸刃部１１の歯先線Ｌｔやガイド縁１１ｂよりも更に超えた進出位置にあるので、そのままでは鋸刃部１１を太い枝Ｔの切断開始側面に進出させることができない（Ａ）。
このため、フック部２２を太い枝Ｔに押し付け、太い枝Ｔの十分な反発力によりフック部２２を後退方向に十分に回動させる。フック部２２は、背金２３の後退回動停止受部２３ｄで停止されたフック部最大後退位置Ｆｂまで後退することができる（Ｂ）。従って、フック部２２が前記フック部最大後退位置Ｆｂにあるときに、太い枝Ｔの切断開始側面の位置が鋸刃部１１の歯先線Ｌｔよりも後退した位置となることができれば、その太い枝Ｔの切断が可能となる。
太い枝Ｔを引っ掛けたフック部２２を十分に後方に後退回動させ、鋸刃部１１を進出させると、先ず鋸刃部１１のガイド縁１１ｂが太い枝Ｔの切断開始側面に到達し、更には歯１１ａ列が到達して切断を開始する。鋸刃部１１による切断に伴って、フック部２２がフック部定常位置Ｆｓに向けて付勢回動し、太い枝Ｔの鋸刃部１１への押付を継続する。
フック部２２がフック部定常位置Ｆｓに復帰した時点では切断が完了した状態となる（Ｃ）。
その後、鋸刃部１１も、手操作による負荷がなくなることで、元の鋸刃部定常位置Ｎｓに自動復帰する。
【００３０】
なお、上記した実施形態では、フック部２２に対する付勢バネ２２ａによる付勢力は、フック部定常位置Ｆｓにおいてもなおフック部２２の進出回動方向に加わった状態に構成されている。そしてフック部２２のフック部定常位置Ｆｓでの停止は進出回動停止ピン２３ｃによってなされる構成とされている。が、フック部２２に対するバネ付勢については
これに限定されない。
フック部２２がフック部定常位置Ｆｓにあるときに、バネ付勢力が中立となり、且つフック部２２がフック部定常位置Ｆｓから進出方向、後退方向の何れの方向へ変位しても、フック部２２をフック部定常位置Ｆｓへ復帰させようとバネ付勢する付勢バネを設けるようにしてもよい。このような構成もまた本発明の範囲内である。この構成の場合は、フック部２２はフック部定常位置Ｆｓから進出方向及び後退方向の何れにも回動可能であるが、フック部２２自体はやはりフック部定常位置Ｆｓに安定する。よって、フック部２２をフック部定常位置Ｆｓにスリムに配置して、スムーズに枝に引っ掛けることができる作用効果を奏している。
【００３１】
図１１に上記したフック部２２の変形例であるフック部１２２を示す。このフック部１２２はその頭部１２２ｆを先に向かって細くなるように構成してある。頭部１２２ｆを先に向かって細くなるようにすることで、フック部１２２をより容易に枝の間へ侵入させることができる。付勢バネ１２２ａ、係合凹所１２２ｂ、枝受入凹所１２２ｃ、引掛ヘッド１２２ｄ、背部１２２ｅは、それぞれ既述した付勢バネ２２ａ、係合凹所２２ｂ、枝受入凹所２２ｃ、引掛ヘッド２２ｄ、背部２２ｅに対応する。
【産業上の利用可能性】
【００３２】
本発明の枝切用鋸は、果樹園、その他における木の枝を剪定等する鋸として、産業上の利用可能性がある。
【符号の説明】
【００３３】
１０                鋸本体
１１                鋸刃部
１１ａ              歯
１１ｂ              ガイド縁
１２                ロッド部
１３                把持部
１４                付勢バネ
２０                鞘本体
２１                鞘部
２１ａ              受止リング
２２、１２２        フック部
２２ａ、１２２ａ    付勢バネ
２２ｂ、１２２ｂ    係合凹所
２２ｃ、１２２ｃ    枝受入凹所
２２ｄ、１２２ｄ    引掛ヘッド
２２ｅ、１２２ｅ    背部
１２２ｆ            頭部
２３                背金
２３ａ              ネジ
２３ｂ              枢軸
２３ｃ              進出回動停止ピン
２３ｄ              後退回動停止受部
Ｆｓ                フック部定常位置
Ｆｆ                フック部最大後退位置
Ｒｆ                長手方向領域
Ｌｔ                歯先線
Ｌｂ                枝最大受入線
Ｎｓ                鋸刃部定常位置
Ｓ                  隙間
Ｔ                  枝
【要約】
細い枝から太い枝、鋏では届き難い範囲にある枝、密集した所にある枝等を、簡単、確実に切断することができる枝切用鋸の提供を課題とする。
フック部２２を枝に引っ掛け、鋸刃部１１に向けて付勢しながら、鋸刃部１１を進退させて切断するようにした枝切用鋸であって、フック部２２は、鞘本体２０の先端部に枢支されると共に鞘本体２０の長手方向領域Ｒｆにフック部定常位置Ｆｓを持つようにバネ付勢して構成し、且つ前記バネ付勢に抗してそれ以上の負荷が加わるとフック部定常位置Ｆｓから回動変位されるように構成し、鋸本体１０の鋸刃部１１は、その先端がフック部２２よりも後退した位置に鋸刃部定常位置Ｎｓを持つようにバネ付勢して構成し、且つ該バネ付勢に抗して鋸本体の把持部を操作することで鋸刃部１１が鋸刃部定常位置Ｎｓから進出されるように構成している。【図１】
0006920774.tif 000002
【図２】
0006920774.tif 000003
【図３】
0006920774.tif 000004
【図４】
0006920774.tif 000005
【図５】
0006920774.tif 000006
【図６】
0006920774.tif 000007
【図７】
0006920774.tif 000008
【図８】
0006920774.tif 000009
【図９】
0006920774.tif 000010
【図１０】
0006920774.tif 000011
【図１１】
0006920774.tif 000012